(57)【特許請求の範囲】
【請求項１】
原稿の第１主面の画像を読み取る第１画像読取部と、
前記第１画像読取部が読み取った前記第１主面の画像の補正に用いる第１黒基準データを、前記第１画像読取部を介して取得する第１黒基準取得部と、
前記第１画像読取部の温度を検出する温度センサーと、
前記温度に基づいて前記第１黒基準取得部が前記第１黒基準データを取得するように前記第１黒基準取得部に指示する取得指示部と、
所定時間内における前記温度の最大値と最小値との温度差が第１温度以上であるか否かを判定する第１温度判定部と、
前記温度差が前記第１温度以上であると前記第１温度判定部が判定した場合に、前記温度の変化量の絶対値が予め設定された第２温度以上であるか否かを判定する第２温度判定部と
を備え、
前記温度の変化量の絶対値が前記第２温度以上であると前記第２温度判定部が判定した場合に、前記第１黒基準取得部が前記第１黒基準データを取得するように前記取得指示部は前記第１黒基準取得部に指示する、画像読取装置。
【請求項２】
前記第２温度判定部は、前記第１黒基準データを前回取得した時点からの前記温度の変化量の絶対値が前記第２温度以上であるか否かを判定し、
前記温度の変化量の絶対値が前記第２温度以上であると前記第２温度判定部が判定した場合に、前記第１黒基準取得部が前記第１黒基準データを取得するように前記取得指示部は前記第１黒基準取得部に指示する、請求項１に記載の画像読取装置。
【請求項３】
原稿の第１主面の画像を読み取る第１画像読取部と、
前記第１画像読取部が読み取った前記第１主面の画像の補正に用いる第１黒基準データを、前記第１画像読取部を介して取得する第１黒基準取得部と、
前記第１画像読取部の温度を検出する温度センサーと、
前記温度に基づいて前記第１黒基準取得部が前記第１黒基準データを取得するように前記第１黒基準取得部に指示する取得指示部と、
所定時間内における前記温度の最大値と最小値との温度差が第１温度以上であるか否かを判定する第１温度判定部と
を備え、
前記温度差が第１温度以上であると前記第１温度判定部が判定した場合に、前記第１黒基準取得部が前記第１黒基準データを取得するように前記取得指示部は前記第１黒基準取得部に指示し、
前記第１温度判定部は、前記温度が予め設定された第３温度以上であるか否かを判定し、前記温度が前記第３温度以上であると判定した場合に、前記温度差が第１温度以上ではないと判定する、画像読取装置。
【請求項４】
前記温度差が前記第１温度以上ではないと前記第１温度判定部が判定した場合に、前記第１黒基準データを前回取得した時点から予め設定された時間以上経過したか否かを判定する判定部を更に備え、
前記時間以上経過したと前記判定部が判定した場合に、前記第１黒基準取得部が前記第１黒基準データを取得するように前記取得指示部は前記第１黒基準取得部に指示する、請求項１から請求項３のいずれか１項に記載の画像読取装置。
【請求項５】
前記温度差が前記第１温度以上ではないと前記第１温度判定部が判定した場合に、前記第１黒基準データを前回取得した時点から前記第１画像読取部が予め設定された所定枚数以上の前記原稿の画像を読み取ったか否かを判定する判定部を更に備え、
前記所定枚数以上の前記原稿の画像を読み取ったと前記判定部が判定した場合に、前記第１黒基準取得部が前記第１黒基準データを取得するように前記取得指示部は前記第１黒基準取得部に指示する、請求項１から請求項３のいずれか１項に記載の画像読取装置。
【請求項６】
原稿の第１主面の画像を読み取る第１画像読取部と、
前記第１画像読取部が読み取った前記第１主面の画像の補正に用いる第１黒基準データを、前記第１画像読取部を介して取得する第１黒基準取得部と、
前記第１画像読取部の温度を検出する温度センサーと、
前記温度に基づいて前記第１黒基準取得部が前記第１黒基準データを取得するように前記第１黒基準取得部に指示する取得指示部と、
前記原稿の前記第１主面に対向する第２主面の画像を読み取る第２画像読取部と、
前記第２画像読取部が読み取った前記第２主面の画像の補正に用いる第２黒基準データを、前記第２画像読取部を介して取得する第２黒基準取得部と
を備え、
前記第１黒基準取得部が前記第１黒基準データを所定回数取得する度に、前記第２黒基準取得部が前記第２黒基準データを取得するように前記取得指示部が前記第２黒基準取得部に指示し、
前記所定回数は、２回以上に予め設定された回数である、画像読取装置。
【請求項７】
所定時間内における前記温度の最大値と最小値との温度差が第１温度以上であるか否かを判定する第１温度判定部と、
前記温度差が前記第１温度以上ではないと前記第１温度判定部が判定した場合に、前記第１黒基準データを前回取得した時点から予め設定された時間以上経過したか否かを判定する判定部と
を更に備え、
前記温度差が前記第１温度以上であると前記第１温度判定部が判定した場合に、前記第１黒基準取得部が前記第１黒基準データを取得するように前記取得指示部は前記第１黒基準取得部に指示し、
前記時間以上経過したと前記判定部が判定した場合に、前記第１黒基準取得部が前記第１黒基準データを取得するように前記取得指示部は前記第１黒基準取得部に指示する、請求項６に記載の画像読取装置。
【請求項８】
所定時間内における前記温度の最大値と最小値との温度差が第１温度以上であるか否かを判定する第１温度判定部と、
前記温度差が前記第１温度以上ではないと前記第１温度判定部が判定した場合に、前記第１黒基準データを前回取得した時点から前記第１画像読取部が予め設定された所定枚数以上の前記原稿の画像を読み取ったか否かを判定する判定部と
を更に備え、
前記温度差が前記第１温度以上であると前記第１温度判定部が判定した場合に、前記第１黒基準取得部が前記第１黒基準データを取得するように前記取得指示部は前記第１黒基準取得部に指示し、
前記所定枚数以上の前記原稿の画像を読み取ったと前記判定部が判定した場合に、前記第１黒基準取得部が前記第１黒基準データを取得するように前記取得指示部は前記第１黒基準取得部に指示する、請求項６に記載の画像読取装置。
【請求項９】
記録媒体に画像を形成する画像形成部と、
請求項１から請求項８のいずれか１項に記載の画像読取装置と
を備える、画像形成装置。
【発明の詳細な説明】
【技術分野】
【０００１】
本発明は、画像読取装置、及び、画像形成装置に関する。
【背景技術】
【０００２】
一般的に、原稿に形成された画像を読み取る画像読取装置が知られている。また、画像読取装置において、白基準データ及び黒基準データを取得する種々の技術が知られている。
【０００３】
特許文献１には、黒基準データを取得する頻度が白基準データを取得する頻度より多い画像読取装置が記載されている。具体的には、原稿を連続的に読み取る場合に、ＣＩＳ（Ｃｏｎｔａｃｔ  Ｉｍａｇｅ  Ｓｅｎｓｏｒ）モジュールの温度変化の影響で黒基準データが変化する。画像読取装置では、原稿を連続的に読み取る処理が所定時間以上経過したときに、黒基準データを取得する。したがって、原稿画像の画質を向上できる。
【先行技術文献】
【特許文献】
【０００４】
【特許文献１】特開２０１３−１６５４２５号公報
【発明の概要】
【発明が解決しようとする課題】
【０００５】
しかしながら、特許文献１に記載の画像読取装置では、適正なタイミングで黒基準データを取得できない可能性があった。例えば、所定時間経過したときの温度変化が大きい場合には、所定時間内において黒基準データが大きく変化する可能性がある。よって、所定時間内において生成される原稿画像の画質が低下する可能性がある。
【０００６】
本発明は、上記課題に鑑みてなされたものであり、黒基準データを適正なタイミングで取得できる画像読取装置、及び、画像形成装置を提供することを目的としている。
【課題を解決するための手段】
【０００７】
本発明の画像読取装置は、第１画像読取部、第１黒基準取得部、温度センサー、及び、取得指示部を備える。前記第１画像読取部は、原稿の第１主面の画像を読み取る。前記第１黒基準取得部は、前記第１画像読取部が読み取った前記第１主面の画像の補正に用いる第１黒基準データを、前記第１画像読取部を介して取得する。前記温度センサーは、前記第１画像読取部の温度を検出する。前記第１黒基準取得部が前記温度に基づいて前記第１黒基準データを取得するように前記取得指示部は前記第１黒基準取得部に指示する。
【０００８】
本発明の画像形成装置は、画像形成部、及び、前記画像読取装置を備える。前記画像形成部は、記録媒体に画像を形成する。
【発明の効果】
【０００９】
本発明の画像読取装置、及び、画像形成装置によれば、黒基準データを適正なタイミングで取得できる。
【図面の簡単な説明】
【００１０】
【図１】本発明の実施形態に係る画像形成装置の構成を示す図である。
【図２】画像読取ユニット及び原稿搬送ユニットの構成を示す図である。
【図３】制御部の構成を示す図である。
【図４】制御部の動作を示すフローチャートである。
【図５】黒基準取得処理における制御部の動作を示すフローチャートである。
【図６】第１画像読取部の温度の変化を示すグラフである。
【発明を実施するための形態】
【００１１】
以下、本発明の実施形態について、図面（図１〜図６）を参照しながら説明する。なお、図中、同一又は相当部分については同一の参照符号を付して説明を繰り返さない。
【００１２】
まず、図１を参照して、本実施形態に係る画像形成装置１００について説明する。画像形成装置１００は複合機である。画像形成装置１００は、画像形成ユニット１、画像読取ユニット２、及び、原稿搬送ユニット３を備える。
【００１３】
画像形成ユニット１は、記録媒体の一例である用紙Ｐに画像を形成する。画像読取ユニット２は、原稿Ｒの表面（第１主面）と裏面（第２主面）とのうち、表面に形成された画像を読み取る。また、画像読取ユニット２は、制御部５を備える。原稿搬送ユニット３は、原稿Ｒを画像読取ユニット２に供給すると共に、原稿Ｒの裏面に形成された画像を読み取る。制御部５は、画像形成装置１００の動作を制御する。
【００１４】
また、画像形成ユニット１は、給紙カセット１１、搬送ローラー対１２、画像形成部１３、定着器１４、排出ローラー対１５、及び、排出トレイ１６を備える。給紙カセット１１から繰り出された用紙Ｐは、搬送ローラー対１２によって画像形成部１３まで搬送される。
【００１５】
画像形成部１３は、用紙Ｐに画像を形成する。画像が形成された用紙Ｐは、定着器１４まで搬送される。定着器１４は、用紙Ｐに形成された画像を用紙Ｐに定着する。画像が定着された用紙Ｐは、排出ローラー対１５によって排出トレイ１６へ排出される。
【００１６】
次に、図２を参照して、画像読取ユニット２、及び、原稿搬送ユニット３について説明する。図２に示すように、画像読取ユニット２は、コンタクトガラス２１０、走査部２２、レール部材２３、及び、温度センサーＳ１を備えている。走査部２２は、第１画像読取部２２１及びキャリッジ２２２を備える。第１画像読取部２２１は、ＬＥＤ（Ｌｉｇｈｔ  Ｅｍｉｔｔｉｎｇ  Ｄｉｏｄｅ）、コンタクトガラス、結像レンズ及びイメージセンサーを備え、これら各部材が一体化されたＣＩＳ（Ｃｏｎｔａｃｔ  Ｉｍａｇｅ  Ｓｅｎｓｏｒ）ユニットである。キャリッジ２２２は、第１画像読取部２２１と一体に形成されている。レール部材２３は、副走査方向に延び、キャリッジ２２２を移動可能に支持する。温度センサーＳ１は、第１画像読取部２２１の近傍に配置されている。温度センサーＳ１は、第１画像読取部２２１の温度ＴＰを検出する。温度センサーＳ１は、例えば、サーミスターを有する。コンタクトガラス２１０は、原稿載置用ガラス２１２と、原稿自動読取用ガラス２１１とを有している。
【００１７】
画像読取ユニット２による原稿Ｒの画像読取方法には、フラットベッド読取モード、及び、ＡＤＦ（Ａｕｔｏ  Ｄｏｃｕｍｅｎｔ  Ｆｅｅｄｅｒ）読取モードの２種類の方法が存在する。フラットベッド読取モードでは、原稿載置用ガラス２１２上に載置された原稿Ｒの画像を読み取る。ＡＤＦ読取モードでは、原稿搬送ユニット３によって原稿Ｒを搬送させ、原稿Ｒが第１読取位置２１１ａを通過する際に、原稿Ｒの表面の画像を読み取る。以下の説明では、画像読取ユニット２が、ＡＤＦ読取モードで原稿トレイ３１に載置された原稿Ｒの画像を読み取る場合について説明する。
【００１８】
具体的には、ＡＤＦ読取モードでは、原稿Ｒが第１読取位置２１１ａを通過するときに、第１画像読取部２２１が原稿Ｒの表面の画像の連続読み取りを行い、画像データを生成する。
【００１９】
原稿搬送ユニット３は、原稿トレイ３１、ピックアップローラー３２、給紙部３３、搬送ローラー対３４、レジストローラー対３４１、第２画像読取部３５１、白基準ローラー３５２、搬送ローラー対３５、読取ガイド３６、搬送ローラー対３７、排出ローラー対３８、及び、原稿排出トレイ３９を備えている。また、原稿搬送ユニット３は、ＡＤＦを構成している。
【００２０】
原稿トレイ３１には、複数枚の原稿Ｒ（図１参照）が載置される。ピックアップローラー３２は、複数枚の原稿Ｒのうちの最上部の原稿Ｒを１枚ずつ給紙部３３に向けて繰り出す。ピックアップローラー３２は、原稿Ｒの後端を繰り出してから予め定められた紙間時間が経過した後に、次の原稿Ｒの繰り出しを開始する。給紙部３３は、従動ローラー３３１、駆動ローラー３３２、張力調整ローラー３３３、給紙ベルト３３４、及び、分離ローラー３３５を備える。
【００２１】
第２画像読取部３５１は、ＬＥＤ、コンタクトガラス、結像レンズ及びイメージセンサー３５１ａを備え、これら各部材が一体化されたＣＩＳユニットである。第２画像読取部３５１は、原稿Ｒの裏面の画像を読み取る。
【００２２】
なお、画像読取ユニット２と原稿搬送ユニット３とは、「画像読取装置」に相当する。
【００２３】
＜第１実施形態＞
次に、図３を参照して、第１実施形態に係る制御部５の構成について説明する。制御部５は、ＣＰＵ（Ｃｅｎｔｒａｌ  Ｐｒｏｃｅｓｓｉｎｇ  Ｕｎｉｔ）のようなプロセッサー、及び、半導体メモリーのようなメモリーを備える。メモリーには、制御プログラムが記憶される。プロセッサーは、制御プログラムを実行することによって、各種機能部として機能する。その結果、プロセッサーの各種機能部は、画像形成装置１００の動作を制御する。また、図３に示すように、制御部５は、第１温度判定部５１、第２温度判定部５２、判定部５３、取得指示部５４、表面黒基準取得部５５、及び、裏面黒基準取得部５６を備える。
【００２４】
第１温度判定部５１は、温度センサーＳ１から温度ＴＰを取得する。また、第１温度判定部５１は、所定時間ＰＡ内における温度ＴＰの最大値ＴＰＭと最小値ＴＰＮとの温度差ΔＴＰ１が第１温度ＴＳ１以上であるか否かを判定する。所定時間ＰＡは、例えば、５秒であり、第１温度ＴＳ１は、例えば、２℃である。
【００２５】
第２温度判定部５２は、温度差ΔＴＰ１が第１温度ＴＳ１以上であると第１温度判定部５１が判定した場合に、以下の処理を行う。すなわち、第２温度判定部５２は、表面黒基準データ（第１黒基準データ）ＫＤ１を前回取得した時点からの温度ＴＰの変化量ΔＴＰ２の絶対値が予め設定された第２温度ＴＳ２以上であるか否かを判定する。第２温度ＴＳ２は、例えば、５℃である。
【００２６】
判定部５３は、温度差ΔＴＰ１が第１温度ＴＳ１以上ではないと第１温度判定部５１が判定した場合に、以下の処理を行う。すなわち、判定部５３は、表面黒基準データＫＤ１を前回取得した時点から予め設定された時間ＴＭＳ以上経過したか否かを判定する。時間ＴＭＳは、例えば、６０秒である。
【００２７】
取得指示部５４は、温度ＴＰに基づいて表面黒基準取得部５５が表面黒基準データＫＤ１を取得するように、表面黒基準取得部５５に指示する。具体的には、温度ＴＰの変化量ΔＴＰ２の絶対値が第２温度ＴＳ２以上であると第２温度判定部５２が判定した場合に、取得指示部５４は、以下の処理を行う。すなわち、表面黒基準取得部５５が表面黒基準データＫＤ１を取得するように取得指示部５４が表面黒基準取得部５５に指示する。また、裏面黒基準取得部５６が裏面黒基準データ（第２黒基準データ）ＫＤ２を取得するように取得指示部５４が裏面黒基準取得部５６に指示する。
【００２８】
また、時間ＴＭＳ以上経過したと判定部５３が判定した場合に、表面黒基準取得部５５が表面黒基準データＫＤ１を取得するように取得指示部５４が表面黒基準取得部５５に指示する。更に、時間ＴＭＳ以上経過したと判定部５３が判定した場合には、取得指示部５４は、以下の処理を行う。すなわち、表面黒基準取得部５５が表面黒基準データＫＤ１を予め設定された所定回数ＮＳ取得する度に、裏面黒基準取得部５６が裏面黒基準データＫＤ２を取得するように取得指示部５４が裏面黒基準取得部５６に指示する。所定回数ＮＳは、２回以上に予め設定された回数であり、例えば、２回である。
【００２９】
表面黒基準取得部（第１黒基準取得部）５５は、画像読取ユニット２を介して表面黒基準データＫＤ１を取得する。具体的には、表面黒基準取得部５５は、ＬＥＤをオフにした状態で第１画像読取部２２１のイメージセンサーに入力される光量データを取得することによって、表面黒基準データＫＤ１を取得する。表面黒基準データＫＤ１は、原稿の表面画像のシェーディング補正に用いられる。
【００３０】
裏面黒基準取得部（第２黒基準取得部）５６は、第２画像読取部３５１を介して裏面黒基準データＫＤ２を取得する。具体的には、裏面黒基準取得部５６は、第２画像読取部３５１のＬＥＤをオフにした状態でイメージセンサー３５１ａに入力される光量データを取得することによって、裏面黒基準データＫＤ２を取得する。裏面黒基準データＫＤ２は、原稿の裏面画像のシェーディング補正に用いられる。本実施形態において、表面黒基準データＫＤ１と裏面黒基準データＫＤ２とを「黒基準データ」と総称する場合がある。
【００３１】
次に、図４を参照して、第１実施形態に係る制御部５の動作について説明する。図４に示すように、まず、ステップＳ１０１において、表面黒基準取得部５５が表面黒基準データＫＤ１を取得し、裏面黒基準取得部５６が裏面黒基準データＫＤ２を取得する。そして、ステップＳ１０３において、原稿搬送ユニット３が原稿トレイ３１に載置された原稿Ｒの搬送を開始するように制御部５が原稿搬送ユニット３に指示する。次に、ステップＳ１０５において、第１温度判定部５１が、所定時間ＰＡ内における温度ＴＰの最大値ＴＰＭと最小値ＴＰＮとの温度差ΔＴＰ１が第１温度ＴＳ１以上であるか否かを判定する。
【００３２】
温度差ΔＴＰ１が第１温度ＴＳ１以上ではないと判定された場合（ステップＳ１０５でＮＯ）には、処理がステップＳ１１１に進む。温度差ΔＴＰ１が第１温度ＴＳ１以上であると判定された場合（ステップＳ１０５でＹＥＳ）には、処理がステップＳ１０７に進む。そして、ステップＳ１０７において、第２温度判定部５２が、表面黒基準データＫＤ１を前回取得した時点からの温度ＴＰの変化量ΔＴＰ２の絶対値が第２温度ＴＳ２以上であるか否かを判定する。
【００３３】
変化量ΔＴＰ２の絶対値が第２温度ＴＳ２以上ではないと判定された場合（ステップＳ１０７でＮＯ）には、処理がステップＳ１１５に進む。変化量ΔＴＰ２の絶対値が第２温度ＴＳ２以上であると判定された場合（ステップＳ１０７でＹＥＳ）、処理がステップＳ１０９に進む。そして、ステップＳ１０９において、表面黒基準取得部５５が表面黒基準データＫＤ１を取得するように取得指示部５４が表面黒基準取得部５５に指示する。また、裏面黒基準取得部５６が裏面黒基準データＫＤ２を取得するように取得指示部５４が裏面黒基準取得部５６に指示する。
【００３４】
ステップＳ１０５でＮＯの場合には、ステップＳ１１１において、判定部５３が、表面黒基準データＫＤ１を前回取得した時点から時間ＴＭＳ以上経過したか否かを判定する。時間ＴＭＳ以上経過していないと判定された場合（ステップＳ１１１でＮＯ）には、処理がステップＳ１１５に進む。時間ＴＭＳ以上経過したと判定された場合（ステップＳ１１１でＹＥＳ）には、処理がステップＳ１１３に進む。そして、ステップＳ１１３において、「黒基準取得処理」が実行される。「黒基準取得処理」は、取得指示部５４からの指示に応じて、表面黒基準取得部５５が表面黒基準データＫＤ１を取得し、裏面黒基準取得部５６が裏面黒基準データＫＤ２を取得する処理である。
【００３５】
ステップＳ１０７でＮＯの場合、ステップＳ１１１でＮＯの場合、ステップＳ１０９の処理が終了した場合、又は、ステップＳ１１３の処理が終了した場合には、制御部５が原稿Ｒの搬送を継続するか否かの判定を行う（ステップＳ１１５）。具体的には、制御部５は、原稿トレイ３１に原稿Ｒが載置されているか否かに応じて、原稿Ｒの搬送を継続するか否かを判定する。原稿Ｒの搬送を継続すると判定した場合（ステップＳ１１５でＹＥＳ）には、処理がステップＳ１０５に戻る。原稿Ｒの搬送を継続しないと判定した場合（ステップＳ１１５でＮＯ）には、処理が終了する。
【００３６】
次に、図５を参照して、「黒基準取得処理」について説明する。「黒基準取得処理」は、図４のステップＳ１１３において実行される。図５に示すように、まず、ステップＳ２０１において、表面黒基準取得部５５が表面黒基準データＫＤ１を取得するように取得指示部５４が表面黒基準取得部５５に指示する。そして、取得指示部５４からの指示に応じて、表面黒基準取得部５５は、画像読取ユニット２を介して表面黒基準データＫＤ１を取得する。次いで、ステップＳ２０３において、取得指示部５４がカウンターＮを１だけインクリメントする。次に、ステップＳ２０５において、取得指示部５４が、カウンターＮの値が奇数であるか否かを判定する。カウンターＮの値が奇数ではないと判定した場合（ステップＳ２０５でＮＯ）には、処理が図４のステップＳ１１５に進む。
【００３７】
図５のステップＳ２０５において、カウンターＮが奇数であると判定した場合（ステップＳ２０５でＹＥＳ）には、処理がステップＳ２０７に進む。そして、ステップＳ２０７において、裏面黒基準取得部５６が裏面黒基準データＫＤ２を取得するように取得指示部５４が裏面黒基準取得部５６に指示する。また、裏面黒基準取得部５６が、第２画像読取部３５１を介して裏面黒基準データＫＤ２を取得し、処理が図４のステップＳ１１５に進む。
【００３８】
以上、図１〜図５を参照して説明したように、温度ＴＰに基づいて表面黒基準取得部５５が表面黒基準データＫＤ１を取得するように取得指示部５４が表面黒基準取得部５５に指示する。例えば、表面黒基準データＫＤ１を前回取得した時点から温度ＴＰが第２温度ＴＳ２上昇したときに、表面黒基準取得部５５が表面黒基準データＫＤ１を取得するように取得指示部５４が表面黒基準取得部５５に指示する。したがって、表面黒基準取得部５５が表面黒基準データＫＤ１を適正なタイミングで取得できる。
【００３９】
また、第１温度判定部５１は、所定時間ＰＡ内における温度ＴＰの最大値ＴＰＭと最小値ＴＰＮとの温度差ΔＴＰ１が第１温度ＴＳ１以上であるか否かを判定する。温度差ΔＴＰ１が第１温度ＴＳ１以上であると第１温度判定部５１が判定した場合に、第２温度判定部５２は、以下の処理を行う。すなわち、第２温度判定部５２は、表面黒基準データＫＤ１を前回取得した時点からの温度ＴＰの変化量ΔＴＰ２の絶対値が第２温度ＴＳ２以上であるか否かを判定する。変化量ΔＴＰ２の絶対値が第２温度ＴＳ２以上であると第２温度判定部５２が判定した場合に、以下の処理を行う。すなわち、表面黒基準取得部５５が表面黒基準データＫＤ１を取得するように取得指示部５４が表面黒基準取得部５５に指示する。また、裏面黒基準取得部５６が裏面黒基準データＫＤ２を取得するように取得指示部５４が裏面黒基準取得部５６に指示する。したがって、第２温度ＴＳ２を適正な値に設定することによって、表面黒基準取得部５５が表面黒基準データＫＤ１を更に適正なタイミングで取得でき、裏面黒基準取得部５６が裏面黒基準データＫＤ２を適正なタイミングで取得できる。
【００４０】
更に、所定時間ＰＡ内における温度ＴＰの最大値ＴＰＭと最小値ＴＰＮとの温度差ΔＴＰ１が第１温度ＴＳ１以上ではないと第１温度判定部５１が判定した場合に、判定部５３は、以下の処理を行う。すなわち、判定部５３は、表面黒基準データＫＤ１を前回取得した時点から時間ＴＭＳ以上経過したか否かを判定する。そして、時間ＴＭＳ以上経過したと判定部５３が判定した場合に、表面黒基準取得部５５が表面黒基準データＫＤ１を取得するように取得指示部５４が表面黒基準取得部５５に指示する。したがって、時間ＴＭＳを適正な値に設定することによって、表面黒基準取得部５５が表面黒基準データＫＤ１を更に適正なタイミングで取得できる。
【００４１】
加えて、表面黒基準取得部５５が表面黒基準データＫＤ１を所定回数ＮＳ取得する度に、裏面黒基準取得部５６が裏面黒基準データＫＤ２を取得するように取得指示部５４が裏面黒基準取得部５６に指示する。所定回数ＮＳは、２回以上に予め設定された回数である。一方、図２に示すように、第２画像読取部３５１は、画像読取ユニット２と比較して、熱を外部に放出し易い位置に配置されている。よって、第２画像読取部３５１は、画像読取ユニット２よりも温度が上昇し難い。そこで、裏面黒基準データＫＤ２の取得頻度は、表面黒基準データＫＤ１の取得頻度未満とすることが好ましい。したがって、所定回数ＮＳを適正な値に設定することによって、裏面黒基準取得部５６が裏面黒基準データＫＤ２を適正なタイミングで取得できる。
【００４２】
＜第２実施形態＞
次に、第２実施形態に係る制御部５について説明する。第２実施形態に係る制御部５は、下記２点において第１実施形態に係る制御部５と相違する。
相違点Ａ：第１温度判定部５１が、温度ＴＰが予め設定された第３温度ＴＳ３以上であるか否かを判定する。
相違点Ｂ：判定部５３が、表面黒基準データＫＤ１を前回取得した時点から画像読取ユニット２が予め設定された枚数ＰＳ（所定枚数）以上の原稿Ｒの画像を読み取ったか否かを判定する。
以下、第１実施形態に係る制御部５との相違点について詳細に説明し、第１実施形態に係る制御部５と同一の構成については説明を省略する。
【００４３】
第１温度判定部５１は、温度ＴＰが第３温度ＴＳ３以上であるか否かを判定する。また、第１温度判定部５１は、温度ＴＰが第３温度ＴＳ３以上であると判定した場合に、所定時間ＰＡ内における温度ＴＰの最大値ＴＰＭと最小値ＴＰＮとの温度差ΔＴＰ１が第１温度ＴＳ１以上ではないと判定する。第３温度ＴＳ３は、例えば、５１℃である。
【００４４】
次に、図６を参照して第１温度判定部５１について説明する。図６は、画像読取ユニット２の温度ＴＰの変化を示すグラフＧである。図６において、横軸は原稿搬送ユニット３が原稿Ｒの搬送を開始してからの経過時間Ｔを示し、縦軸は温度ＴＰを示す。図６のグラフＧに示すように、温度ＴＰは、原稿搬送ユニット３が原稿Ｒの搬送を開始した直後は、急激に上昇する。また、経過時間Ｔが増大する程、グラフＧの傾きは小さくなる。
【００４５】
具体的には、図６に示すように、経過時間ＴＡにおいて、温度ＴＰは第３温度ＴＳ３に到達する。図６に示す温度差ΔＴＰＡは、第１温度ＴＳ１以上であり、温度差ΔＴＰＢは、第１温度ＴＳ１未満である。温度差ΔＴＰＡは、経過時間ＴＡの直前の所定時間ＰＡ内における温度ＴＰの最大値ＴＰＭと最小値ＴＰＮとの温度差ΔＴＰ１を示す。温度差ΔＴＰＢは、経過時間ＴＡの直後の所定時間ＰＡ内における温度ＴＰの最大値ＴＰＭと最小値ＴＰＮとの温度差ΔＴＰ１を示す。よって、第１温度判定部５１は、温度ＴＰが第３温度ＴＳ３以上である場合に、所定時間ＰＡ内における温度ＴＰの最大値ＴＰＭと最小値ＴＰＮとの温度差ΔＴＰ１が第１温度ＴＳ１以上ではないと判定することができる。
【００４６】
判定部５３は、温度ＴＰが第３温度ＴＳ３以上ではないと第１温度判定部５１が判定した場合に、以下の処理を行う。すなわち、判定部５３は、表面黒基準データＫＤ１を前回取得した時点から画像読取ユニット２が枚数ＰＳ以上の原稿Ｒの画像を読み取ったか否かを判定する。枚数ＰＳは、例えば、３０枚である。
【００４７】
また、画像読取ユニット２が枚数ＰＳ以上の原稿Ｒの画像を読み取ったと判定部５３が判定した場合に、表面黒基準取得部５５が表面黒基準データＫＤ１を取得するように取得指示部５４が表面黒基準取得部５５に指示する。
【００４８】
以上、図６を参照して説明したように、第１温度判定部５１は、温度ＴＰが第３温度ＴＳ３以上である場合に、所定時間ＰＡ内における温度ＴＰの最大値ＴＰＭと最小値ＴＰＮとの温度差ΔＴＰ１が第１温度ＴＳ１以上ではないと判定する。したがって、所定時間ＰＡ内における温度ＴＰの最大値ＴＰＭと最小値ＴＰＮとの温度差ΔＴＰ１が第１温度ＴＳ１以上であるか否かを簡素な構成で判定することができる。
【００４９】
また、画像読取ユニット２が枚数ＰＳ以上の原稿Ｒの画像を読み取ったと判定部５３が判定した場合に、表面黒基準取得部５５が表面黒基準データＫＤ１を取得するように取得指示部５４が表面黒基準取得部５５に指示する。したがって、枚数ＰＳを適正な値に設定することによって、表面黒基準取得部５５が表面黒基準データＫＤ１を更に適正なタイミングで取得できる。
【００５０】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５１】
（１）図２を参照して、温度センサーＳ１が第１画像読取部２２１の近傍に配置されている形態について説明したが、これに限定されない。例えば、温度センサーＳ１が第１画像読取部２２１の内部に配置されている形態でもよい。また、例えば、画像読取ユニット２が、ＬＥＤ、ミラー、キャリッジ、結像レンズ、及び、イメージサンサーを備え、イメージサンサーが画像読取ユニット２に固定して配置される場合には、温度センサーＳ１は、イメージサンサーの近傍に配置されていればよい。
【００５２】
（２）図３〜図５を参照して、以下の２つの条件を満たす場合に、取得指示部５４が以下の指示をする形態について説明したが、これに限定されない。すなわち、表面黒基準取得部５５が表面黒基準データＫＤ１を取得するように取得指示部５４が表面黒基準取得部５５に指示し、裏面黒基準取得部５６が裏面黒基準データＫＤ２を取得するように取得指示部５４が裏面黒基準取得部５６に指示する。
条件Ａ：第１温度判定部５１が所定時間ＰＡ内における温度ＴＰの最大値ＴＰＭと最小値ＴＰＮとの温度差ΔＴＰ１が第１温度ＴＳ１以上であると判定した。
条件Ｂ：第２温度判定部５２が表面黒基準データＫＤ１を前回取得した時点からの温度ＴＰの変化量ΔＴＰ２の絶対値が第２温度ＴＳ２以上であると判定した。
例えば、条件Ａを満たす場合に、表面黒基準取得部５５が表面黒基準データＫＤ１を取得するように取得指示部５４が表面黒基準取得部５５に指示する形態でもよい。この形態では、制御部５の構成を簡略化できる。
【００５３】
また、条件Ａ及び条件Ｂを満たす場合に、表面黒基準取得部５５が表面黒基準データＫＤ１を所定回数ＮＳ取得する度に、裏面黒基準取得部５６が裏面黒基準データＫＤ２を取得するように取得指示部５４が裏面黒基準取得部５６に指示する形態でもよい。この形態では、所定回数ＮＳを適正な値に設定することによって、裏面黒基準データＫＤ２を更に適正なタイミングで取得できる。
【００５４】
（３）図３〜図５を参照して、第２温度判定部５２が、表面黒基準データＫＤ１を前回取得した時点からの温度ＴＰの変化量ΔＴＰ２の絶対値が第２温度ＴＳ２以上であるか否かを判定する場合について説明したが、これに限定されない。例えば、第２温度判定部５２が、予め設定された所定期間における温度ＴＰの変化量ΔＴＰ２の絶対値が第２温度ＴＳ２以上であるか否かを判定する形態でもよい。この場合は、所定期間を適正に設定することによって、表面黒基準データＫＤ１を適正なタイミングで取得できる。
【００５５】
（４）図３〜図５を参照して、表面黒基準取得部５５が表面黒基準データＫＤ１を２回取得する度に、以下の処理を行う形態について説明したが、これに限定されない。すなわち、裏面黒基準取得部５６が裏面黒基準データＫＤ２を取得するように取得指示部５４が裏面黒基準取得部５６に指示する。例えば、表面黒基準取得部５５が表面黒基準データＫＤ１を所定回数ＮＳ取得する度に、裏面黒基準取得部５６が裏面黒基準データＫＤ２を取得するように取得指示部５４が裏面黒基準取得部５６に指示する形態であればよい。所定回数ＮＳが多い程、制御部５の負荷を軽減することができる。
【産業上の利用可能性】
【００５６】
本発明は、画像読取装置、及び、画像形成装置に利用可能である。
【符号の説明】
【００５７】
１００    画像形成装置
１    画像形成ユニット
１３    画像形成部
２    画像読取ユニット（画像読取装置の一部）
２１０    コンタクトガラス
２２    走査部
２２１    第１画像読取部
３    原稿搬送ユニット（画像読取装置の一部）
３１    原稿トレイ
３５１    第２画像読取部
３５１ａ    イメージセンサー
５    制御部
５１    第１温度判定部
５２    第２温度判定部
５３    判定部
５４    取得指示部
５５    表面黒基準取得部（第１黒基準取得部）
５６    裏面黒基準取得部（第２黒基準取得部）
Ｓ１    温度センサー
【図１】
0006451673.tif 000002
【図２】
0006451673.tif 000003
【図３】
0006451673.tif 000004
【図４】
0006451673.tif 000005
【図５】
0006451673.tif 000006
【図６】
0006451673.tif 000007